(57)【要約】【課題】  暖房感を高くすると共に二次燃焼室の燃焼を促進できる石油燃焼器具の燃焼筒を提供する。【解決手段】  燃焼リング２７の下端が中筒１１上端部分の周りのガラス外筒１８上端部分を覆うように設けると共に、前記外筒押さえ２１と燃焼リング２７との間に形成された隙間３０の位置に空気が流入する空気取り入れ孔３７を燃焼リング２７に設けたので、中筒１１の上端部分の暗い色の部分が燃焼リング２７に覆われて見えず、それにより燃焼筒を見ても暖房感が損なわれないと共に、空気取り入れ孔３７から流入した空気が中筒１１とガラス外筒１８間を上昇して来た空気と合流して二次空気として二次燃焼室３１に供給されて二次燃焼を促進して完全燃焼を達成できるものである。【選択図】  図１
2015094543.tif 000002
【特許請求の範囲】
【請求項１】
多数の小孔を有した内筒及び中筒と、その外側のガラス外筒及び該ガラス外筒を載置する外筒ベ−スとからなり、更にガラス外筒上端を中筒上端に連結された外筒押さえで支持し、前記内筒と中筒との間に燃芯を位置させこの内筒と中筒との間に一次燃焼室を形成すると共に、前記内筒を中筒より高身とすると共に、内筒上端には蓋体に支持され中筒及びガラス外筒より上方で内筒の直径より大きく外方へ広がった拡炎板を設け、更に前記ガラス外筒の上端には拡炎板より高く立設した燃焼リングを備え、前記内筒上部の外側と燃焼リングの内側とで二次燃焼室を形成した石油燃焼器具の燃焼筒において、前記燃焼リングの下端が中筒上端部分の周りのガラス外筒上端部分を覆うように設けると共に、前記外筒押さえと燃焼リングとの間に形成された隙間の位置に空気が流入する空気取り入れ孔を燃焼リングに設けたことを特徴とする石油燃焼器具の燃焼筒。
【請求項２】
前記空気取り入れ孔は、筒押さえと燃焼リングとの間に形成された隙間で最も狭い部分に位置するように燃焼リングに設けたことを特徴とする請求項１記載の石油燃焼器具の燃焼筒。
【発明の詳細な説明】
【技術分野】
【０００１】
この発明は石油スト−ブ等の石油燃焼器に使用される複筒式の燃焼筒に関するものである。
【背景技術】
【０００２】
従来、この種のものに於いては、燃焼筒の暖房能力をより高くしようした場合、芯案内外筒１０１と芯案内内筒１０２との間に昇降自在に備えられた燃芯１０３の先端が火皿部１０４上に露呈する露呈量を多くして、燃芯１０３から発生する未燃焼ガス量を大きくすると共に、二次燃焼室１０５で発生する炎が大きくなっても煙突効果が得られるように燃焼リング１０６の高さを高くすることが必要となるので、図２に示すように、内筒１０７の高さを中筒１０８やガラス外筒１０９より高く、更に燃焼リング１０６の高さを高くし、内筒１０７上部の外側と燃焼リング１０６の内側とで二次燃焼室１０５を形成したものがある。（例えば特許文献１参照）
【０００３】
それにより、中筒１０８とガラス外筒１０９間を上昇して二次燃焼室１０５に流れる燃焼用空気が多くなっても、内筒１０７も高くなったことにより内筒１０７内を上昇して二次燃焼室１０５に流れる燃焼用空気も多くなるので、二次燃焼室１０５内での燃焼空気のバランスが取れて、二次燃焼室１０５で発生する炎が揺らぐことがなく、また二次燃焼室１０５で発生する炎が内筒１０７上端の蓋体１１０に立設した拡炎板１１１に接することがなく、それにより炎の温度が下がらないので、拡炎板１１１に多量の煤が付着することがないものであり、更に極めて簡単な構成でありながら、一つの燃焼筒内で一次燃焼と二次燃焼とが行われて常に完全燃焼が達成され、未燃ガスの室内への放出を防止して常に安心して使用出来るものである。
【先行技術文献】
【特許文献】
【０００４】
【特許文献１】特開２００９−１８０４８５号公報
【発明の概要】
【発明が解決しようとする課題】
【０００５】
ところで、この従来のものでは、燃焼リング１０６の下端が中筒１０８とガラス外筒１０９間の上方を閉塞した外筒押さえ１１２とほぼ同じ高さのため、中筒１０８の上端部分がガラス外筒１０９を介して見えるが、中筒１０８の上端部分は中筒１０８とガラス外筒１０９間を上昇して二次燃焼室１０５に流れる燃焼用空気が当たって冷やされる外筒押さえ１１２と接しているため、その接している付近の中筒１０８の上端部分の温度が下がり、中筒１０８の略中央付近の赤熱の色に比べて暗い色になるため、燃焼筒を見た時に筒１０８の上端部分の暗い色の部分が暖房感を悪くするという課題があった。
【０００６】
そこで、燃焼リング１０６の下端が中筒１０８の上端部分の暗い色になる部分を隠すように長くすると、燃焼リング１０６と外筒押さえ１１２との間に形成されている隙間１１３に、ガラス外筒１０９外周を上昇して来た空気が流入しにくくなり、二次燃焼室１０５へ二次空気として供給する空気が減少してしまうという課題があった。
【課題を解決するための手段】
【０００７】
上記課題を解決するために、本発明の請求項１では、多数の小孔を有した内筒及び中筒と、その外側のガラス外筒及び該ガラス外筒を載置する外筒ベ−スとからなり、更にガラス外筒上端を中筒上端に連結された外筒押さえで支持し、前記内筒と中筒との間に燃芯を位置させこの内筒と中筒との間に一次燃焼室を形成すると共に、前記内筒を中筒より高身とすると共に、内筒上端には蓋体に支持され中筒及びガラス外筒より上方で内筒の直径より大きく外方へ広がった拡炎板を設け、更に前記ガラス外筒の上端には拡炎板より高く立設した燃焼リングを備え、前記内筒上部の外側と燃焼リングの内側とで二次燃焼室を形成した石油燃焼器具の燃焼筒において、前記燃焼リングの下端が中筒上端部分の周りのガラス外筒上端部分を覆うように設けると共に、前記外筒押さえと燃焼リングとの間に形成された隙間の位置に空気が流入する空気取り入れ孔を燃焼リングに設けたものである。
【０００８】
また、請求項２では、請求項１において、前記空気取り入れ孔は、筒押さえと燃焼リングとの間に形成された隙間で最も狭い部分に位置するように燃焼リングに設けたものである。
【発明の効果】
【０００９】
この発明の請求項１によれば、燃焼リングの下端が中筒上端部分の周りのガラス外筒上端部分を覆うように設けると共に、前記外筒押さえと燃焼リングとの間に形成された隙間の位置に空気が流入する空気取り入れ孔を燃焼リングに設けたので、中筒１０８の上端部分の暗い色の部分が燃焼リングに覆われて見えず、燃焼筒を見ても暖房感が損なわれないと共に、空気取り入れ孔から流入した空気が中筒とガラス外筒間を上昇して来た空気と合流して二次空気として二次燃焼室に供給されて二次燃焼を促進して完全燃焼を達成できるものである。
【００１０】
また、請求項２によれば、前記空気取り入れ孔は、外筒押さえと燃焼リングとの間に形成された隙間で最も狭い部分に位置するように燃焼リングに設けたので、隙間の中で一番空気の流速が早い部分に設けた空気取り入れ孔からガラス外筒外周の空気が引き寄せられて効率よく流入させることができ、又、内筒と中筒との間に形成された一次燃焼室から外筒押さえと燃焼リングとの間に形成された隙間に流入した未燃焼ガスが、燃焼リングの空気取り入れ孔から燃焼筒の外に流出してしまうのを防止できるものである。
【図面の簡単な説明】
【００１１】
【図１】この発明の一実施例を付した燃焼筒の断面図。
【図２】従来例を示す燃焼筒の断面図。
【発明を実施するための形態】
【００１２】
次にこの発明に係る石油燃焼器具の燃焼筒を図面に示す一実施例で説明する。
１は芯案内外筒２と燃油タンク（図示せず）の中央部から立設した芯案内内筒３とから構成された芯案内筒で、芯案内外筒２及び芯案内内筒３の上端にはそれぞれ段状の火皿部４を形成すると共に、芯案内内筒３上面には内方を上昇してくる空気を燃焼空気として放出する複数個の透孔５を有している。
【００１３】
６は芯案内筒１内で芯案内外筒２と芯案内内筒３との間に昇降自在に備えられた燃芯で、上昇時には先端を火皿部４上に露呈するものである。
７は芯案内外筒２の火皿部４外周に固着された支持筒で、上端には外方へ向かって屈曲したフランジ部８が形成されている。
【００１４】
９は多数の小孔を穿ちた内筒１０及び、該内筒１０外方で多数の小孔を穿ちた中筒１１及び、該中筒１１外方の外筒ベ−ス１２等をクロスピン１３で一体に構成して成る複筒式の燃焼筒で、内筒１０下端を火皿部４上に又中筒１１の下端を火皿部４上にそれぞれ載置し、外筒ベ−ス１２と支持筒７のフランジ部８との間には空気流入用の間隔１４を有しているものである。
【００１５】
又、外筒ベ−ス１２の上部には中筒１１の外径より大きく、内筒１０を内蔵した中筒１１が貫通する貫通孔１５が形成され、該貫通孔１５と中筒１１との間の隙間１６を、前記間隔１４を通過した空気が流入し、更に内筒１０と中筒１１との間には燃芯６を位置させこの間を一次燃焼室１７として芯案内筒１上に備えられたものである。
【００１６】
前記燃焼筒９の外筒ベ−ス１２は、外径１２０ｍｍで高さ１３０ｍｍで耐熱性の熱透過物質から構成され中筒１１の上部と対向するガラス外筒１８を載置支持している。
【００１７】
更に中筒１１は直径９０ｍｍで高さ１９０ｍｍで０．２〜０．６ｍｍのステンレス鋼板を用い、下部のガラス外筒１８と対向しない少なくとも全長の１／３である下部には、直径１．２〜２．０ｍｍの多数の小孔１９を穿ち、又上部のガラス外筒１８と対向する多くとも全長の１／２である上方には、１．５〜３．０ｍｍ×１０〜１５ｍｍの横長状の多数の小孔２０を互いに上下に一部重合させながら千鳥足のブリック状に配設し、全体的には４０〜６０％の開口率としている。
【００１８】
２１は中筒１１とガラス外筒１８間の上方を閉塞した外筒押さえで、一端を中筒１１上端に固着すると共に、他端をガラス外筒１８上端まで延設して該ガラス外筒１８上端を支持するものであり、外筒押さえ２１で閉塞されている中筒１１とガラス外筒１８間には、均等な間隔で直径３ｍｍの通気孔２２が円周状に形成されているものである。
【００１９】
又内筒１０は直径６５ｍｍで高さ２３５ｍｍで０．３〜０．８ｍｍのステンレス鋼板を用い、全周に直径１．２〜２．０ｍｍの多数の小孔２３を穿ち、更に中筒１１よりは高身としてその上部が外筒押さえ２１よりも上方に突出しているものである。
【００２０】
この内筒１０には、内筒１０上端に備えられた蓋体２４に支持され内筒１０の直径より大きく中筒１１より小径で外方へ広がった拡炎板２５とが備えられており、更に蓋体２４には内筒１０内方から蓋体２４の上方に二次燃焼の空気を供給する複数の小孔２６を形成するものである。
【００２１】
２７は外筒押さえ２１外方で拡炎板２５を覆って備えられた筒状の燃焼リングで、切り起こされた３個の取り付け片２８で外筒押さえ２１上面に形成された係止部２９に係止して取り付けられ、燃焼リング２７の下端部分が外筒押さえ２１の位置から下方に向けて約２３ｍｍの位置に達して、中筒１１の上端部分が外から見えないように配置されているものであり、ガラス外筒１８と燃焼リング２７との間に約５ｍｍの適宜な隙間３０が形成されており、更にこの隙間３０の上部は外筒押さえ２１により狭くなっており、外筒押さえ２１と燃焼リング２７との間の隙間３０の間隔は約３ｍｍに形成されているものである。
【００２２】
また前記燃焼リング２７は直径が１３０ｍｍで高さが８０ｍｍで、その内側に内筒１０の上部が略同心円状に位置し、燃焼リング２７の内側と内筒１０上部の外側とで形成される空間により二次燃焼室３１が形成され、ガラス外筒１８外周を上昇して来た空気を隙間３０を通して、二次燃焼室３１へ二次空気として供給して燃焼を促進させるものである。
【００２３】
３２は拡炎板２５の先端部で燃芯６と対向する位置の全周に設けられた複数の通気孔で、燃芯６の真上に拡炎板２５の円周部分が位置することで、消火時に燃芯６から発生する未燃ガスの上方への抜けの抵抗になるので、これを防止する為に通気孔３２を設けて消火時の未燃ガスをここから抜けさせることで、消火時間の短縮を図るものである。
【００２４】
３３は内筒１０内方下部に備えられた案内板で、下方から流入する燃焼空気を燃芯６上端の一次燃焼室１７に集中供給すると共に、中央の開口３４で上方へ燃焼空気を供給するものである。
３５は内筒１０内方上部に備えられた整流板で、各種の穴部３６で整流して上方へ燃焼空気を供給すると共に、中央の内筒１０と中筒１１間の一次燃焼室１７に燃焼空気を供給するようにしたものである。
【００２５】
３７は燃焼リング２７下部全周に所定間隔で複数設けられた直径２ｍｍの空気取り入れ孔で、隙間３０の上部の狭くなっている部分に位置するように形成されているものである。
【００２６】
次にこの一実施例の作動について説明する。
今、周知の点火手段（図示せず）で燃芯６に点火すれば、燃焼筒９内の一次燃焼室１７で燃焼が開始され、この燃焼が内筒１０・中筒１１間で該内筒１０上端まで行われることで、中筒１１の下部から中間までのブリック状の小孔２０部分が良好に赤熱し、この赤熱状態をガラス外筒１８を介して直接或いは反射板（図示せず）の反射で、輻射暖房が行われるものである。
【００２７】
この時、中筒１１の上端から下方に向けて約２３ｍｍまでの部分は、それよりも下の部分に比べて温度が低くて暗い色となるが、外から見えないように燃焼リング２７の下端部分がその暗い色の部分を囲うので、輻射暖房が行われる時燃焼筒を見ると明るい赤熱色のみが見え、暖房感を高くすることができるものである。
【００２８】
又、中筒１１を赤熱させながら一次燃焼室１７を上昇した燃焼ガスは、内筒１０上部の外側と燃焼リング２７の内側とで形成される二次燃焼室３１に流入し、ここで大空間であると共に拡炎板２５で上昇を抑制されてその流速が遅くなり、そして中筒１１とガラス外筒１８間が外筒押さえ２１で閉塞されているが、この外筒押さえ２１の中筒１１とガラス外筒１８間に位置する部分には、均等な間隔で直径５ｍｍの通気孔２２が全周に形成されているので、この間を上昇して来た空気が二次空気として通気孔２２から二次燃焼室３１に供給されると共に、燃焼リング２７の空気取り入れ孔３７から隙間３０の上部の狭くなっている部分、つまり外筒押さえ２１と燃焼リング２７との間の約３ｍｍの間隔のところに流入して二次燃焼室３１に供給されるものである。
【００２９】
この時、隙間３０の上部で狭くなっている部分は空気の流速が速くなるため、燃焼リング２７の空気取り入れ孔３７から燃焼リング２７の周りの空気が引き込まれるように流入し、効率よく空気を取り入れることができ、二次燃焼室３１での燃焼を促進するものである。
【００３０】
更に蓋体２４の小孔２６からも内筒１０内方を上昇して来た空気が、拡炎板２５に案内されて、二次燃焼室３１の上方からの二次空気が供給され、しかも燃焼リング２７の隙間３０を介して燃焼筒９外方の空気も二次空気として二次燃焼室３１の下方から上方へ向かって供給されるものである。
【００３１】
この時、内筒１０の高さが中筒１１やガラス外筒１８より高く、その上端が燃焼リング２７の上端より拡炎板２５の高さ分低い位の高さ、つまり燃焼リング２７の略４分の３位の高さにまで位置することで、燃焼リング２７の高さを高くしたことにより、内筒１０と中筒１１間を上昇する燃焼用空気と燃焼ガスと、中筒１１とガラス外筒１８間を上昇して中筒１１上部の小孔２０から二次燃焼室３１に流れる燃焼用空気が多くなっても、内筒１０内を上昇して内筒１０上端の蓋体２４に形成された小孔２６や内筒１０の上部全周面に形成されている小孔２３から二次燃焼室３１に流れる燃焼用空気も多くなるので、二次燃焼室内３１での燃焼空気のバランスが取れて、二次燃焼室３１で発生する炎が揺らぐことがなく、また二次燃焼室３１で発生する炎が内筒１０上端の蓋体２４に立設した拡炎板２５に接することがなく、それにより炎の温度が下がらないので、拡炎板２５に多量の煤が付着することがないものである。
【００３２】
そして二次燃焼室３１では、燃焼リング２７の内側と内筒１０上部の外側とで形成される大空間の二次燃焼室３１を取り囲むようにして全周から二次空気が供給されるので、燃焼ガスとの混合がスム−ズに行われて、常に良好な燃焼で完全燃焼が達成されて未燃ガスを室内に放出することがないものである。
【００３３】
また、本件の燃焼筒９は、一次燃焼室１７から二次燃焼室３１を通過する燃焼ガスが、従来に比べて拡炎板２５に邪魔されずにスムーズに燃焼リング２７の上端に抜けていくので、消火時にすばやく炎が消火されるものである。
【００３４】
また、本件の燃焼筒９は、内筒１０内の整流板３５が、一次燃焼室１７と二次燃焼室３１の境の位置、つまり外筒押さえ２１とほぼ同じ高さに位置するので、内筒１０内を上昇してきた燃焼空気が、整流板３５の抵抗により一次燃焼室１７と二次燃焼室３１の境の手前付近に位置している内筒１０の小孔２３から、一次燃焼室１７と二次燃焼室３１の境の付近の一次燃焼室１７と二次燃焼室３１とに吹き出すので、より完全燃焼を促進しているものである。
【符号の説明】
【００３５】
６  燃芯
１０  内筒
１１  中筒
１２  外筒ベース
１７  一次燃焼室
１８  ガラス外筒
２１  外筒押さえ
２４  蓋体
２５  拡炎板
２７  燃焼リング
３１  二次燃焼室
３７  空気取り入れ孔
【図１】
2015094543.tif 000003
【図２】
2015094543.tif 000004